(57)【要約】      （修正有）【課題】  商品管理情報及び過去に作成した広告印刷物にかかる広告印刷物データを利用して、効率よく広告印刷物を作成することを目的とする。【解決手段】  掲載する商品の商品識別情報の入力を受け付ける入力受付手段と、過去の前記広告印刷物データを記憶する広告印刷物データ記憶手段と、前記商品を管理する商品管理情報を記憶する商品管理情報記憶手段と、前記広告印刷物データ記憶手段の広告印刷物データに含まれる前記商品の掲載商品情報のうち、流用すべき特定掲載商品情報であって、前記入力された商品識別情報に対応し、かつ最新の特定掲載商品情報を取得する特定掲載商品情報取得手段と、前記商品管理情報のうち、流用すべき特定商品管理情報であって、前記入力された商品識別情報に対応する特定商品管理情報を取得する特定商品管理情報取得手段と、前記取得された特定商品管理情報と特定掲載商品情報とを関連づけて広告印刷物データを作成する。【選択図】  図１
2005293278.tif 000002
【特許請求の範囲】
【請求項１】
商品の種々の情報を掲載する広告印刷物を作成する広告印刷物作成装置において、
前記広告印刷物に掲載する前記商品の商品識別情報の入力を受け付ける入力受付手段と、
過去に作成された前記広告印刷物にかかる広告印刷物データを記憶する広告印刷物データ記憶手段と、
前記商品を管理する商品管理情報を記憶する商品管理情報記憶手段と、
前記広告印刷物データ記憶手段に記憶された広告印刷物データに含まれる前記商品の掲載商品情報のうち、前記広告印刷物の作成に流用すべき特定掲載商品情報であって、前記入力された商品識別情報に対応し、かつ最新の特定掲載商品情報を取得する特定掲載商品情報取得手段と、
前記商品管理情報のうち、前記広告印刷物の作成に流用すべき特定商品管理情報であって、前記入力された商品識別情報に対応する特定商品管理情報を取得する特定商品管理情報取得手段と、
前記取得された特定商品管理情報と前記取得された特定掲載商品情報とを関連づけて広告印刷物データを作成する広告印刷物作成手段と
を有することを特徴とする広告印刷物作成装置。
【請求項２】
請求項１に記載の広告印刷物作成装置において、
前記広告印刷物作成手段によって作成された広告印刷物作成データに基づいて、商品管理情報記憶手段に記憶された特定商品管理情報を更新する特定商品管理情報更新手段と、
前記広告印刷物作成手段によって作成された広告印刷物データを、前記広告印刷物データ記憶手段に保存する広告印刷物データ保存手段と
を有することを特徴とする広告印刷物作成装置。
【請求項３】
請求項１又は請求項２に記載の広告印刷物作成装置において、
前記特定商品管理情報は、少なくとも前記商品の価格に関する情報を含み、前記特定掲載商品情報は、少なくとも前記商品を示す商品名に関する情報を含むことを特徴とする広告印刷物作成装置。
【請求項４】
請求項１乃至請求項３のいずれか一項に記載の広告印刷物作成装置において、
前記商品識別情報は、ＪＡＮ（Japanese Article Number）コード又はメーカーコードであることを特徴とする広告印刷物作成装置。
【請求項５】
コンピュータを、広告印刷物に掲載する商品の商品識別情報の入力を受け付ける入力受付手段と、
過去に作成された前記広告印刷物にかかる広告印刷物データを記憶する広告印刷物データ記憶手段と、
前記商品を管理する商品管理情報を記憶する商品管理情報記憶手段と、
前記広告印刷物データ記憶手段に記憶された広告印刷物データに含まれる前記商品の掲載商品情報のうち、前記広告印刷物の作成に流用すべき特定掲載商品情報であって、前記入力された商品識別情報に対応し、かつ最新の特定掲載商品情報を取得する特定掲載商品情報取得手段と、
前記商品管理情報のうち、前記広告印刷物の作成に流用すべき特定商品管理情報であって、前記入力された商品識別情報に対応する特定商品管理情報を取得する特定商品管理情報取得手段と、
前記取得された特定商品管理情報と前記取得された特定掲載商品情報とを関連づけて広告印刷物データを作成する広告印刷物作成手段と
を有することを特徴とする広告印刷物作成プログラム。
【請求項６】
商品の種々の情報を掲載する広告印刷物を作成する広告印刷物作成方法において、
過去に作成された前記広告印刷物にかかる広告印刷物データを記憶する広告印刷物データ記憶工程と、
前記商品を管理する商品管理情報を記憶する商品管理情報記憶工程と、
前記広告印刷物に掲載する前記商品の商品識別情報の入力を受け付ける入力受付工程と、
前記広告印刷物データ記憶工程にて記憶された広告印刷物データに含まれる前記商品の掲載商品情報のうち、前記広告印刷物の作成に流用すべき特定掲載商品情報であって、前記入力された商品識別情報に対応し、かつ最新の特定掲載商品情報を取得する特定掲載商品情報取得工程と、
前記商品管理情報のうち、前記広告印刷物の作成に流用すべき特定商品管理情報であって、前記入力された商品識別情報に対応する特定商品管理情報を取得する特定商品管理情報取得工程と、
前記取得された特定商品管理情報と前記取得された特定掲載商品情報とを関連づけて広告印刷物データを作成する広告印刷物作成工程と
を有することを特徴とする広告印刷物作成方法。
【発明の詳細な説明】
【技術分野】
【０００１】
本発明は、商品に関する情報を掲載した広告印刷物の作成を行なう広告印刷物作成装置及び広告印刷物作成方法及び広告印刷物作成プログラムに関する。
【背景技術】
【０００２】
従来、チラシなどの広告印刷物作成システムにおいて、広告印刷物に掲載する商品を登録する際には、商品名、価格、メーカー名などの商品管理情報を手入力にてリストを作成し、或いは、商品管理情報を格納するデータベースから商品識別コードに基づいて、上記商品管理情報を取得し、これに広告印刷物に共に掲載するキャッチコピーや売価等を付加して広告印刷物データを作成していた。
【０００３】
また、特許文献１には、複数の担当者による作業を経てチラシ・カタログ類を作成するチラシ作成システムが開示されている。
【特許文献１】特開２００３−２６３４２６号公報
【発明の開示】
【発明が解決しようとする課題】
【０００４】
しかし、商品管理情報を格納するデータベースには、商品名は、通常仕入れ担当者等や、商品管理の便宜等のため省略名や半角カナ等で登録されているため、広告印刷物にそのまま掲載することができず、改めて入力する必要があった。
【０００５】
また、過去の広告印刷物データを流用する場合でも、現在店舗にて管理されている価格の情報等は、その都度商品管理情報を確認するためにデータベースを参照する必要があった。しかしながら、商品管理情報は、全ての店舗にて扱っている全ての商品について登録されており、膨大な商品管理情報の中から所望の商品の商品管理情報を見つけ出して参照しなければならないことが多く、商品管理情報を間違って使用してしまう可能性があるという問題点があった。
【０００６】
そこで、本発明は上記課題に鑑みてなされたものであり、商品管理情報及び過去に作成した広告印刷物にかかる広告印刷物データを利用して、効率よく広告印刷物を作成することが可能な広告印刷物作成装置等を提供することを目的とする。
【課題を解決するための手段】
【０００７】
上記課題を解決するための本発明の一つの観点では、商品の種々の情報を掲載する広告印刷物を作成する広告印刷物作成装置において、前記広告印刷物に掲載する前記商品の商品識別情報の入力を受け付ける入力受付手段と、過去に作成された前記広告印刷物にかかる広告印刷物データを記憶する広告印刷物データ記憶手段と、前記商品を管理する商品管理情報を記憶する商品管理情報記憶手段と、前記広告印刷物データ記憶手段に記憶された広告印刷物データに含まれる前記商品の掲載商品情報のうち、前記広告印刷物の作成に流用すべき特定掲載商品情報であって、前記入力された商品識別情報に対応し、かつ最新の特定掲載商品情報を取得する特定掲載商品情報取得手段と、前記商品管理情報のうち、前記広告印刷物の作成に流用すべき特定商品管理情報であって、前記入力された商品識別情報に対応する特定商品管理情報を取得する特定商品管理情報取得手段と、前記取得された特定商品管理情報と前記取得された特定掲載商品情報とを関連づけて広告印刷物データを作成する広告印刷物作成手段とを有することを特徴とする。
【０００８】
これによれば、ユーザは過去に作成した広告印刷物データや、最新の商品管理情報を流用し、これらを関連付けることにより効率的かつ迅速に広告印刷物を作成することが可能になる。また、過去に作成した広告印刷物データから、商品識別情報に対応する掲載商品情報を取得する際に、最新の掲載商品情報の少なくとも一部を取得するよう構成したため、より最新の広告印刷物における特定掲載商品情報を流用することが可能になる。
【０００９】
上記課題を解決するための本発明の他の観点では、上記広告印刷物作成装置において、前記広告印刷物作成手段によって作成された広告印刷物作成データに基づいて、商品管理情報記憶手段に記憶された特定商品管理情報を更新する特定商品管理情報更新手段と、前記広告印刷物作成手段によって作成された広告印刷物データを、前記広告印刷物データ記憶手段に保存する広告印刷物データ保存手段とを有することを特徴とする。
【００１０】
これによれば、作成した広告印刷物データの商品管理情報を、商品管理情報記憶手段に更新させることにより、広告に掲載された商品管理情報の管理の利便性が向上する。作成した広告印刷物データを広告印刷物データ記憶手段に保存することにより、次回以降の広告印刷物の作成の際に、作成した広告印刷物データの掲載商品情報を利用することが可能になる。
【００１１】
上記課題を解決するための本発明の他の観点では、上記広告印刷物作成装置において、前記特定商品管理情報は、少なくとも前記商品の価格に関する情報を含み、前記特定掲載商品情報は、少なくとも前記商品を示す商品名に関する情報を含むことを特徴とする。
【００１２】
これによれば、商品管理情報の価格に関する情報を広告印刷物の作成に流用することができ、掲載商品情報の商品名に関する情報を広告印刷物の作成に流用することができる。
【００１３】
上記課題を解決するための本発明の他の観点では、上記広告印刷物作成装置において、前記商品識別情報は、ＪＡＮ（Japanese Article Number）コード又はメーカーコードであることを特徴とする。
【００１４】
これによれば、ＪＡＮコード又はメーカーコードをキーとして特定商品管理情報及び特定掲載商品情報を抽出／取得することが可能になる。
【００１５】
上記課題を解決するための本発明の一つの観点では、コンピュータを、広告印刷物に掲載する商品の商品識別情報の入力を受け付ける入力受付手段と、過去に作成された前記広告印刷物にかかる広告印刷物データを記憶する広告印刷物データ記憶手段と、前記商品を管理する商品管理情報を記憶する商品管理情報記憶手段と、前記広告印刷物データ記憶手段に記憶された広告印刷物データに含まれる前記商品の掲載商品情報のうち、前記広告印刷物の作成に流用すべき特定掲載商品情報であって、前記入力された商品識別情報に対応し、かつ最新の特定掲載商品情報を取得する特定掲載商品情報取得手段と、前記商品管理情報のうち、前記広告印刷物の作成に流用すべき特定商品管理情報であって、前記入力された商品識別情報に対応する特定商品管理情報を取得する特定商品管理情報取得手段と、前記取得された特定商品管理情報と前記取得された特定掲載商品情報とを関連づけて広告印刷物データを作成する広告印刷物作成手段とを有することを特徴とする。
【００１６】
これによれば、ユーザは過去に作成した広告印刷物データや、最新の商品管理情報を流用し、これらを関連付けることにより効率的かつ迅速に広告印刷物を作成することが可能になる。また、過去に作成した広告印刷物データから、商品識別情報に対応する掲載商品情報を取得する際に、最新の掲載商品情報の少なくとも一部を取得するよう構成したため、より最新の広告印刷物における特定掲載商品情報を流用することが可能になる。
【００１７】
上記課題を解決するための本発明の一つの観点では、商品の種々の情報を掲載する広告印刷物を作成する広告印刷物作成方法において、過去に作成された前記広告印刷物にかかる広告印刷物データを記憶する広告印刷物データ記憶工程と、前記商品を管理する商品管理情報を記憶する商品管理情報記憶工程と、前記広告印刷物に掲載する前記商品の商品識別情報の入力を受け付ける入力受付工程と、前記広告印刷物データ記憶工程にて記憶された広告印刷物データに含まれる前記商品の掲載商品情報のうち、前記広告印刷物の作成に流用すべき特定掲載商品情報であって、前記入力された商品識別情報に対応し、かつ最新の特定掲載商品情報を取得する特定掲載商品情報取得工程と、前記商品管理情報のうち、前記広告印刷物の作成に流用すべき特定商品管理情報であって、前記入力された商品識別情報に対応する特定商品管理情報を取得する特定商品管理情報取得工程と、前記取得された特定商品管理情報と前記取得された特定掲載商品情報とを関連づけて広告印刷物データを作成する広告印刷物作成工程とを有することを特徴とする。
【００１８】
これによれば、ユーザは過去に作成した広告印刷物データや、最新の商品管理情報を流用し、これらを関連付けることにより効率的かつ迅速に広告印刷物を作成することが可能になる。また、過去に作成した広告印刷物データから、商品識別情報に対応する掲載商品情報を取得する際に、最新の掲載商品情報の少なくとも一部を取得するよう構成したため、より最新の広告印刷物における特定掲載商品情報を流用することが可能になる。
【発明の効果】
【００１９】
本発明によれば、ユーザは過去に作成した広告印刷物データや、最新の商品管理情報を参照することにより、より効率的かつ迅速に広告印刷物を作成することが可能になる。また、過去に作成した広告印刷物データから、商品識別情報に対応する特定掲載商品情報を取得する際に、最新の特定掲載商品情報を取得するよう構成したため、より最新の広告印刷物における特定掲載商品情報を流用することが可能になる。
【発明を実施するための最良の形態】
【００２０】
以下、本発明の好適な実施の形態を添付図面に基づいて説明する。
【００２１】
まず、図１乃至図４を参照して本実施形態にかかる広告印刷物作成装置の構成及び機能を説明する。
【００２２】
図１は、本実施形態にかかる広告印刷物作成装置の概要構成例を示すブロック図である。
【００２３】
図１に示すように、広告印刷物作成装置１は、記憶部１１、操作部１２、広告印刷物データ作成部１３、表示部１４および制御部１５を含んで構成されており、各構成要素は互いにバス１６によって接続されている。
【００２４】
なお、本発明における入力受付手段は、操作部１２に対応し、また、広告印刷物データ記憶手段及び広告印刷物データ保存手段は後述する記憶部１１に備えた広告印刷物データベース１１Ｂに対応し、商品管理情報記憶手段は、後述する記憶部１１に備えた商品管理データベース１１Ａに対応し、特定掲載商品情報取得手段、特定商品管理情報取得手段及び広告印刷物作成手段は、広告印刷物データ作成手段１３及び制御部１５に対応し、また、特定商品管理情報更新手段は、操作部１２及び制御部１５に対応している。
【００２５】
記憶部１１は、商品管理データベース１１Ａと広告印刷物データベース１１Ｂとを記憶するためのものである。
【００２６】
商品管理データベース１１Ａは、商品管理情報記憶手段として機能している。この商品管理データベース１１Ａには、図２に示す如く、店舗にて扱われている種々の商品（通常は全ての商品）の商品管理情報Ｉｇが記憶（登録）されている。このような商品管理情報Ｉｇは、各商品を仕入れる際等に、仕入れ担当者や商品管理担当者等が操作部１２等を操作することにより、登録されるよう構成されている。
【００２７】
そして、商品管理情報Ｉｇには、管理商品名、メーカー名、メーカー価格（標準小売価格）、売価（通常販売価格）及び返品可能か否かに関する情報や、補充発注などの商取引に関する情報等が含まれる。そして、図２に示す如く、複数の商品についての上記商品管理情報Ｉｇが、商品毎に一の商品識別情報としてのＪＡＮ（Japanese Airticle Number）コードと対応付けられている。例えば、図２に示す例によれば、ＪＡＮコード「Ｊ１」には、商品管理情報Ｉｇとして、管理商品名「＄％  パン」、メーカー名「＄％株式会社」メーカー価格「２２０円」及び売価「２００円」が対応付けられて登録されており、ＪＡＮコード「Ｊ２」には、商品管理情報Ｉｇとして、管理商品名「×◎ソース」、メーカー名「×◎株式会社」、メーカー価格「５８０」及び売価「４９８円」が対応付けられて登録されている。そして、ＪＡＮコードＪ３乃至Ｊ７にもそれぞれ対応する管理商品名、メーカー名、メーカー価格及び売価が対応付けて登録されている。
【００２８】
そして広告印刷物を作成する際にユーザによって一のＪＡＮコードＪｎが入力されると、当該商品管理データベース１１Ａに記憶されている商品管理情報Ｉｇから、入力されたＪＡＮコードＪｎに対応する特定商品管理情報ＲＩｇが選択（抽出）されることになる。
【００２９】
ここで、特定商品管理情報ＲＩｇとは、商品管理情報Ｉｇのうち広告作成に必要な情報である。例えば、上記商品管理情報Ｉｇのうち、メーカー価格及び売価は、広告作成の際に流用することができ、広告作成の際に必要である。また、そのまま用いずとも、操作部１２を操作して広告に掲載する価格を変更（決定）する際に、現在実際店舗で売られている価格である売価やメーカー価格等を参考にすることができる。他方、管理商品名は、通常仕入れ担当者等や、商品管理の便宜等のため省略名で管理される場合があることから、広告に掲載するには、不適合である。従って、本実施形態においては、上記商品管理情報Ｉｇのうち、メーカー価格及び売価を特定商品管理情報ＲＩｇとしている。尚、特定商品管理情報ＲＩｇの抽出動作については、後に詳述する広告印刷物作成処理の説明中において説明する。
【００３０】
広告印刷物データベース１１Ｂは、広告印刷物データ記憶手段及び広告印刷物データ保存手段として機能している。この広告印刷物データベース１１Ｂには、過去に作成された広告印刷物データが蓄積保存（記憶）されている。後に詳述する広告印刷物作成処理において、広告印刷物データが作成されると、当該広告印刷物データベース１１Ｂに時系列で登録されるよう構成されている。図３（Ａ）に示す例によれば、広告印刷物データＡｄ１が最も直近に作成された広告印刷物の広告印刷物データであり、続いて、広告印刷物データＡｄ２、Ａｄ３、…Ａｄｍと、ｍ個の広告印刷物データが蓄積保存されている。また、後に詳述する広告印刷物作成処理に基づいて作成した広告印刷物データＡｄが、広告印刷物作成装置１に内蔵した日付時計に基づいた日付データと共に同様に蓄積保存される。
【００３１】
なお、記憶部１１の記憶容量等に応じて予め定められた個数（例えば、ｍ＝５０など）の広告印刷物データが蓄積されると、古い広告印刷物データから順に消去されて、新たに作成された広告印刷物データを保存して常に最新の広告印刷物データが蓄積されるよう構成されている。
【００３２】
ここで、図３（Ｂ）を用いて、広告印刷物データについて説明する。図３（Ｂ）は、広告印刷物データＡｄ１のデータ内容である。広告印刷物データは、広告印刷物に掲載される商品に関する掲載商品情報によって構成されている。この掲載商品情報には、広告印刷物上に配置される文字、画像、イラスト、ロゴ、マーク等の情報が含まれ、例えば、商品名、メーカー名、商品仕様（サイズ、重量、材質、色等）や規格、商品価格（メーカー希望価格、通常価格、売価）、割引率、商品の画像（商品の外観が撮影されたもの）、商品のキャッチコピー、商品の購買促進情報、セール名（広告印刷物に掲載された商品が販売されるセールの名称）、セール期間、返品可能か否かに関する情報や補充発注などの商取引に関する情報等が含まれる。
【００３３】
なお、図３（Ｂ）は、上記掲載商品情報Ｉｐを、商品名、メーカー名、価格、掲載商品画像及びキャッチコピーとした例である。
【００３４】
図に示される広告印刷物データＡｄ１は、ＪＡＮコード「Ｊ５」、「Ｊ１０」、「Ｊ１１」、「Ｊ１３」、「Ｊ１４」、「Ｊ７」を夫々有する６つの商品について掲載された広告印刷物の広告印刷物データであったことがわかる。そして、ＪＡＮコード毎に、対応する掲載商品情報Ｉｐが対応付けられている。例えば、ＪＡＮコード「Ｊ５」の商品は、商品名「ＡＢＣ茶」として広告に掲載され、掲載商品画像として「ＩＭＧ８」が掲載され、「美味しいです！」というキャッチコピーを付して掲載されたことがわかる。また、ＪＡＮコード「Ｊ１４」の商品は、商品名「＃＄ヨーグルト」として広告に掲載され、掲載商品画像として「ＩＭＧ１８」が掲載され、「毎日の健康に」というキャッチコピーを付して掲載されたことがわかる。
【００３５】
このように、広告印刷物データベース１１Ｂには、過去の広告印刷物データＡｄが登録されており、ユーザによって一のＪＡＮコードが入力されると、当該広告印刷物データベース１１Ｂに記憶されている一又は複数の広告印刷物データＡｄから、入力されたＪＡＮコードに対応する特定掲載商品情報ＲＩｐが選択（抽出）されることになる。
【００３６】
ここで、特定掲載商品情報ＲＩｐとは、掲載商品情報Ｉｐのうち広告印刷物の作成に流用すべき情報である。例えば、上記掲載商品情報Ｉｐのうち、商品名、メーカー名、掲載商品画像及びキャッチコピーは、広告作成の際にそのまま用いることができることも多く、広告作成の際に流用できる。つまり、過去のキャッチコピーや掲載商品画像をそのまま使用する際に便利である。
【００３７】
他方、広告は作成されるときに最も顧客を惹き付ける価格等を掲載することがその役割の大部分を担うこと等から、過去の価格をそのまま広告に掲載するには、不適合であることが多い。そのため掲載商品情報Ｉｐのうち過去の価格情報である「価格」は、広告作成の際には不要である場合が多い。従って、本実施形態においては、上記掲載商品情報Ｉｐのうち、商品名、メーカー名、掲載商品画像及びキャッチコピーを特定掲載商品情報ＲＩｐとしている。尚、特定掲載商品情報ＲＩｐの抽出動作については、後に詳述する広告印刷物作成処理の説明中において説明する。
【００３８】
次に、操作部１２は、入力受付手段として機能し、例えばマウスやキーボード等によって構成され、上記ユーザがＪＡＮコードを入力するためのものである。この操作部１２にてＪＡＮコードの入力が行われると、広告印刷物データ作成部１３が、入力されたＪＡＮコードに対応する特定商品管理情報ＲＩｇを上記商品管理データベース１１Ａから選択（抽出）し、特定掲載商品情報ＲＩｐを上記広告印刷物データベース１１Ｂから選択（抽出）する。
【００３９】
また、制御部１５と共に特定商品管理情報更新手段として機能し、選択（抽出）された特定商品管理情報ＲＩｇ及び特定掲載商品情報ＲＩｐに基づいて作成された広告印刷物データを変更（更新）を行なうためのものである。
【００４０】
すなわち、特定商品管理情報ＲＩｇとして抽出してきたメーカー価格及び売価を参考にして、ユーザが操作部１２を操作することにより、広告に掲載する価格を変更（決定）することができる。変更された特定商品管理情報ＲＩｇは、商品管理データベース１１Ａに送信されて更新（変更）されることになる。
【００４１】
広告印刷物データ作成部１３は、制御部１５と共に特定掲載商品情報取得手段、特定商品管理情報取得手段及び広告印刷物作成手段として機能し、操作部１２によって入力されたＪＡＮコードに対応する特定商品管理情報ＲＩｇ及び特定掲載商品情報ＲＩｐを、上記商品管理データベース１１Ａ、上記広告印刷物データベース１１Ｂから夫々抽出して取得し、これらに基づいて広告印刷物データを作成し、表示部１４に表示させる。そして、作成された広告印刷物データは、通常、ＤＴＰ（Desk Top Publishing）システムにて広告印刷物の版面の所定位置に割り付けられ、印刷機にて印刷されることになる。
【００４２】
また、作成された広告印刷物データＡｄは、広告印刷物データベース１１Ｂに送信されて、広告印刷物作成装置１に内蔵した日付時計に基づいた日付データと共に広告印刷物データベース１１Ｂに登録（保存）されることになる。
【００４３】
さらに、作成された広告印刷物データＡｄの特定商品管理情報ＲＩｇは、商品管理データベース１１Ａに送信されて対応するＪＡＮコードの、特定商品管理情報ＲＩｇに上書き保存（更新）される。
【００４４】
表示部１４は、広告印刷物データ作成部１３にて作成した広告印刷物データを表示する。また、図４に示す如く、ＪＡＮコードが操作部１２によって入力されると、入力信号に応じて、作成途中の広告印刷物データを表示させる。また、スクロールバー１４ａを操作部１２のマウスなどで操作することにより、広告印刷物データをスクロール表示させることが可能に構成されている。
【００４５】
また、登録ボタン１４ｂが設けられており、当該登録ボタン１４ｂを操作部１２を操作して選択（クリック）することにより、作成された広告印刷物データＡｄが広告印刷物データベース１１Ｂに登録され、作成された広告印刷物データＡｄの特定商品管理情報ＲＩｇは、商品管理データベース１１Ａに送信されて対応するＪＡＮコードの、特定商品管理情報ＲＩｇに上書き保存（更新）される。
【００４６】
制御部１５は、演算機能を有するＣＰＵ（Central Processing Unit）、各種プログラム（広告印刷物作成プログラムを含む）及びデータを記憶するＲＯＭ（Read Only Memory）、及び作業用メモリとしてのＲＡＭ（Random Access memory）等を含んで構成されており、広告印刷物作成装置１における構成要素全体を制御し、また、広告印刷物作成装置１を構成する各種構成部に対して所定の指示信号を送受信するためのものである。
【００４７】
具体的には、制御部１５は、広告印刷物データ作成部１３と共に特定掲載商品情報取得手段、特定商品管理情報取得手段及び広告印刷物作成手段として機能し、操作部１２によって入力されたＪＡＮコードに対応する特定商品管理情報ＲＩｇ及び特定掲載商品情報ＲＩｐを、上記商品管理データベース１１Ａ、上記広告印刷物データベース１１Ｂから夫々抽出して取得し、これらに基づいて広告印刷物データを作成し、表示部１４に表示させる。
【００４８】
また、制御部１５は、特定商品管理情報更新手段として機能し、ユーザが操作部１２を操作することより、特定商品管理情報ＲＩｇが変更され、広告印刷物データが作成されると、変更された特定商品管理情報ＲＩｇを、商品管理データベース１１Ａに送信して更新（変更）するよう構成する。
【００４９】
次に、広告印刷物作成処理について説明する。
【００５０】
図５は、広告印刷物作成装置１の制御部１５における広告印刷物作成処理を示すフローチャートである。なお、図５の処理は、制御部１５にて広告印刷物作成プログラムが実行されることにより行なわれる。
【００５１】
まず、ユーザが、操作部１２を操作することにより広告に掲載したい商品のＪＡＮコードを入力する（ステップＳ１）。
【００５２】
広告印刷物データ作成部１３は、入力されたＪＡＮコードに対応する特定商品管理情報ＲＩｇを上記商品管理データベース１１Ａから取得し（ステップＳ２）、上記広告印刷物データベース１１Ｂから対応する特定掲載商品情報ＲＩｐであって、最も新しい特定掲載商品情報ＲＩｐを取得する（ステップＳ３）。
【００５３】
図２、図３（ｂ）及び図４に示す例によれば、ＪＡＮコード「Ｊ５」が入力されると、商品管理データベース１１Ａから対応する特定商品管理情報ＲＩｇとして、価格の情報、すなわちメーカー価格「１２００円」売価「１１００円」が取得され、広告印刷物データベース１１Ｂから対応する特定掲載商品情報ＲＩｐであって、最も新しい特定掲載商品情報ＲＩｐとして、広告印刷物データＡｄ１の特定掲載商品情報ＲＩｐである商品名「ＡＢＣ茶」、メーカー名「ＡＢＣ株式会社」、掲載商品画像「ＩＭＧ８」及びキャッチコピー「美味しいです！」が選択される。
【００５４】
すなわち、ＪＡＮコード「Ｊ５」に対応する商品が、過去に何度も広告印刷物に掲載されている場合であっても、一番新しい特定掲載商品情報ＲＩｐを取得するようになっている。
【００５５】
また、ＪＡＮコード「Ｊ４」が入力されると、商品管理データベース１１Ａから対応する特定商品管理情報ＲＩｇとして、メーカー価格「２５０円」売価「１９８円」が取得され、広告印刷物データベース１１Ｂから対応する特定掲載商品情報ＲＩｐであって、最も新しい特定掲載商品情報ＲＩｐが取得される。ここで、図３（Ｂ）に示す最新の広告印刷物データである広告印刷物データＡｄ１には、ＪＡＮコード「Ｊ４」に対応する特定掲載商品情報ＲＩｐは無いので、広告印刷物データベース１１Ｂに蓄積された他の広告印刷物データＡｄ２〜広告印刷物データＡｄｍから、ＪＡＮコード「Ｊ４」に対応する特定掲載商品情報ＲＩｐのうち、最も新しい特定掲載商品情報ＲＩｐが取得される。
【００５６】
次に、ステップＳ２にて取得した特定商品管理情報ＲＩｇと、ステップＳ３にて取得した特定掲載商品情報ＲＩｐに基づいて作成された広告印刷物データＡｄを表示部１４に表示する（ステップＳ４）。
【００５７】
そして、操作部１２による操作に基づいて、広告印刷物データＡｄの変更を受け付ける（ステップＳ５）。ここで、図６に作成した広告印刷物データ（図４参照。）に対して変更を加えた広告印刷物データＡｄの表示例を示す。図６に示す例によれば、ＪＡＮコード「Ｊ５」に対応する商品のキャッチコピーが「美味しいです！」から「特売！うまいお茶！！」に、売価が「１１００円」から「８８０円」にそれぞれ変更されている。また、ＪＡＮコード「Ｊ７」に対応する商品の掲載商品画像が「ＩＭＧ１７」から「ＩＭＧ３３」に、売価が「１００円」から「９８円」にそれぞれ変更されている。
【００５８】
そして、登録ボタン１４ｂが選択（クリック）されたか否かを判定し（ステップＳ６）、登録ボタン１４ｂが選択された場合には（ステップＳ６：Ｙｅｓ）、広告印刷物データ作成部１３によって作成された広告印刷物データＡｄを広告印刷物データベース１１Ｂに保存（登録）すると共に（ステップＳ７）、変更された特定商品管理情報ＲＩｇを、商品管理データベース１１Ａの対応するＪＡＮコードの特定商品管理情報ＲＩｇに上書き保存（更新）した（ステップＳ８）後に処理を終了する。
【００５９】
また、登録ボタン１４ｂが選択されない場合には（ステップＳ６：Ｎｏ）、広告印刷物データＡｄの変更受付（ステップＳ５）が続行されることになる。
【００６０】
以上説明したように作成された広告印刷物データＡｄは、所定のＤＴＰシステムにて広告印刷物の版面の所定位置に割り付けられ、広告印刷物作成装置１に備えられた図示しない印刷機にて印刷されることによって、広告印刷物を作成することができる。一方、広告印刷物作成装置１に情報の授受が可能に接続された印刷会社のコンピュータ等に、作成された広告印刷物データＡｄを送信し、当該印刷会社にて印刷されることによって、広告印刷物を作成することができる。
【００６１】
なお、上述した広告印刷物データ作成処理におけるステップＳ１乃至ステップＳ５の処理において、ステップＳ１にてユーザが広告印刷物に掲載する全ての商品のＪＡＮコードを入力したあとに、入力された夫々のＪＡＮコードに対応する特定商品管理情報ＲＩｇ及び特定掲載商品情報ＲＩｐを取得して（ステップＳ２及びステップＳ３）、表示部１４に表示させる（ステップＳ４）よう構成したが、ＪＡＮコードが１つ入力されると、その都度、対応する特定商品管理情報ＲＩｇ及び特定掲載商品情報ＲＩｐを取得して、表示部１４に表示させるよう構成してもよい。また、この際に登録ボタン１４ｂが選択されるまでは、常に、広告印刷物データＡｄの変更を受け付けるよう構成してもよい。
【００６２】
また、ステップＳ８において、変更された特定商品管理情報ＲＩｇを、商品管理データベース１１Ａの対応するＪＡＮコードの特定商品管理情報ＲＩｇに上書き保存（更新）しているが、ステップＳ５にて特定商品管理情報ＲＩｇに変更がされていない場合であっても、一律に上書き保存（更新）してもよく、或いは、「同じ情報がありますが、更新しますか？」などの文言を表示部１４に表示させることにより、ユーザに注意を喚起させ、上書き保存しても良いか否かの判断を促すよう構成してもよい。
【００６３】
また、上述した実施の形態において、ＪＡＮコードを商品を識別するための商品識別情報として用いたが、メーカーコードや独自に割振られたコード等であればよい。
【００６４】
また、上述した実施の形態において、ＪＡＮコードを商品を識別するための商品識別情報として用いたが、例えば、メーカーコードと複数の商品の情報（上述した商品管理情報Ｉｇ、特定商品管理情報ＲＩｇ、商品掲載情報Ｉｐ及び特定商品掲載情報ＲＩｐ）とを対応付けてデータベース等に記憶させる構成と併せて適用してもよい。この場合には、メーカーコードを入力すると、入力されたメーカーコードに対応する上記複数の商品の情報が引き当てられることになるが、さらに、ＪＡＮコードを入力することにより、一の商品の情報を引き当てることが可能になる。
【００６５】
また、同様にして、独自に割振られたコードと複数の商品の情報（上述した商品管理情報Ｉｇ、特定商品管理情報ＲＩｇ、商品掲載情報Ｉｐ及び特定商品掲載情報ＲＩｐ）とを対応付けてデータベース等に記憶させる構成と併せて適用してもよい。この場合には、独自に割振られたコードを入力すると、入力された独自に割振られたコードに対応する上記複数の商品の情報が引き当てられることになるが、さらに、ＪＡＮコードを入力することにより、一の商品の情報を引き当てることが可能になる。
【００６６】
また、独自に割振られたコードと複数の商品の情報（上述した商品管理情報Ｉｇ、特定商品管理情報ＲＩｇ、商品掲載情報Ｉｐ及び特定商品掲載情報ＲＩｐ）とを対応付けてデータベース等に記憶させる構成と、メーカーコードと複数の商品の情報（上述した商品管理情報Ｉｇ、特定商品管理情報ＲＩｇ、商品掲載情報Ｉｐ及び特定商品掲載情報ＲＩｐ）とを対応付けてデータベース等に記憶させる構成とを組み合わせて構成してもよい。この場合には、独自に割振られたコードを入力すると、入力された独自に割振られたコードに対応する上記複数の商品の情報が引き当てられることになるが、さらに、メーカーコードを入力することにより、入力されたメーカーコードをキーとして、独自に割振られたコードによって引き当てられた複数の商品の情報を絞り込むことが可能になる。
【００６７】
さらに、メーカーコードと、独自に割振られたコードと、ＪＡＮコードとを入力することにより一の商品の情報を引き当てるよう構成してもよく、この場合には、メーカーコードを入力すると、入力されたメーカーコードに対応する上記複数の商品の情報が引き当てられ、さらに、独自に割振られたコードを入力すると、入力された独自に割振られたコードをキーとして、引き当てられた複数の商品の情報を絞り込むことができ、さらに、ＪＡＮコードを入力することにより、一の商品の情報を引き当てることが可能になる。
【００６８】
上述した実施形態によれば、ユーザは過去に作成した広告印刷物データや、最新の商品管理情報を利用することにより、より効率的かつ迅速に広告印刷物を作成することが可能になる。
【００６９】
また、過去に作成した広告印刷物データから、ＪＡＮコードに対応する特定掲載商品情報を取得する際に、最新の特定掲載商品情報を取得するよう構成したため、より最新の広告印刷物における特定掲載商品情報を流用することが可能になる。
【００７０】
また、作成した広告印刷物データＡｄを広告印刷物データベース１１Ｂに保存することにより、次回以降の広告印刷物データ作成処理の際に、特定掲載商品情報ＲＩｐを利用することが可能になる。
【００７１】
また、ＪＡＮコードをキーとして特定商品管理情報の抽出／取得を行なうため、何十万点という膨大な商品を扱う場合であっても、ＪＡＮコードに対応する特定商品管理情報を的確に抽出／取得することができる。なお、一の商品に対して一のＪＡＮコードが対応付けられる例について説明したが、一の商品は複数の商品群であってもよく、例えば複数商品で構成される一の商品組に対して、一のＪＡＮコードが割振られている場合でも、本願を適用することは可能である。
【００７２】
さらに、作成した広告印刷物データＡｄの特定商品管理情報ＲＩｇを、商品管理データベース１１Ａに更新させることにより、広告に掲載された価格の管理を容易に行なうことができる。具体的には、商品管理データベース１１Ａの価格情報等がそのまま価格表作成機の登録情報やレジスターの登録情報等に反映させることができるため、改めて広告に掲載された価格を価格表作成機の登録情報やレジスターの登録情報等に入力させる必要がないため、ユーザの利便性が向上する。
【図面の簡単な説明】
【００７３】
【図１】広告印刷物作成装置の概要構成例を示すブロック図である。
【図２】商品管理データベース１１Ａの説明図である。
【図３（Ａ）】広告印刷物データベース１１Ｂの説明図である。
【図３（Ｂ）】広告印刷物データＡｄ１の説明図である。
【図４】表示部１４における広告印刷物データの表示例である。
【図５】制御部１５における広告印刷物作成処理を示すフローチャートである。
【図６】変更を加えた広告印刷物データＡｄの表示例である。
【符号の説明】
【００７４】
１…広告印刷物作成装置
１１…記憶部
１１Ａ…商品管理データベース
１１Ｂ…広告印刷物データベース
１２…操作部
１３…広告印刷物データ作成部
１４…表示部
１４ａ…スクロールバー
１４ｂ…登録ボタン
１５…制御部
１６…バス
Ａｄ…広告印刷物データ
Ｉｇ…商品管理情報
Ｉｐ…掲載商品情報
ＲＩｇ…特定商品管理情報
ＲＩｐ…特定掲載商品情報
【図１】
2005293278.tif 000003
【図２】
2005293278.tif 000004
【図３（Ａ）】
2005293278.tif 000005
【図３（Ｂ）】
2005293278.tif 000006
【図４】
2005293278.tif 000007
【図５】
2005293278.tif 000008
【図６】
2005293278.tif 000009